(57)【要約】【課題】  バンド部材のロック状態を良好にすることが可能なプロテクタを提供する。【解決手段】  プロテクタ本体２３を構成する一つの側壁２７の自由端側内面に、線条体としてのワイヤハーネス２２を固定するためのバンド部材２５の係止用のバンドロック部３２を一体に設ける。また、そのバンドロック部３２の近傍且つ側壁２７の自由端側外面に、プロテクタ本体２３の開放面を横切るプロテクタカバー２４を係止するためのロック部３３を一体に設ける。バンドロック部３２とロック部３３とを、側壁２７を挟んで対向するような位置に設けることが好ましい。【選択図】    図１
2005080429.tif 000002
【特許請求の範囲】
【請求項１】
プロテクタ本体を構成する一側壁の自由端側内面に、線条体を固定するためのバンド部材の係止用のバンドロック部を一体に設け、該バンドロック部の近傍且つ前記一側壁の自由端側外面には、前記プロテクタ本体の開放面を横切る開放面横断部材を係止するためのロック部を一体に設けた
ことを特徴とするプロテクタ。
【請求項２】
請求項１に記載のプロテクタにおいて、
前記バンドロック部と前記ロック部とを、前記一側壁を挟んで対向するような位置に設けた
ことを特徴とするプロテクタ。
【発明の詳細な説明】
【技術分野】
【０００１】
本発明は、例えばワイヤハーネスのような線条体を配索する際に用いられるプロテクタに関し、特に、線条体を固定するためのバンド部材を有するプロテクタに関する。
【背景技術】
【０００２】
この種のプロテクタとしては、例えば下記特許文献１に開示されるようなものが知られている。すなわち、図３に示される如く、プロテクタ１は、プロテクタ本体２と図示しないプロテクタカバーとバンド部材３とを備えて構成されている。
【０００３】
プロテクタ本体２は、底壁４と両側壁５、６とを備えて構成されている。このようなプロテクタ本体２には、ワイヤハーネス７を収納するための収納室８が形成されている。バンド部材３は、図示のような係止部９とバンドロック部１０とを備えて構成されている。バンド部材３は、収納室８内において引き回し可能な部材であって、バンドロック部１０が一方の側壁５に一体に設けられている。このようなバンド部材３は、その自由端側をバンドロック部１０に差し込んで係止部９を係止させることによりワイヤハーネス７を固定することができるようになっている。
【０００４】
尚、バンドロック部１０の出口側には、バンド部材３の自由端側が引き出される開口部１１が形成されている。その開口部１１は、奥壁４に形成されている。引用符号１２は、図示しないプロテクタカバーに対するロック部を示しており、他方の側壁６に形成されている。
【特許文献１】特開平１１−３１３４２９号公報  （第４頁、第１図）
【発明の開示】
【発明が解決しようとする課題】
【０００５】
ところで、上記従来技術にあっては、バンド部材３の自由端側をバンドロック部１０に差し込んで係止部９を係止させると、バンドロック部１０の位置において一方の側壁５が外側に撓んで隙間が大きくなり、不完全なロック状態になってしまう恐れがあった。そして、これによりワイヤハーネス７の固定が緩み、振動等を受けると摩耗や異音発生等を引き起こしてしまう恐れがあった。
【０００６】
本発明は、上述した事情に鑑みてなされるもので、バンド部材のロック状態を良好にすることが可能なプロテクタを提供することを課題とする。
【課題を解決するための手段】
【０００７】
上記課題を解決するためなされた請求項１記載の本発明のプロテクタは、プロテクタ本体を構成する一側壁の自由端側内面に、線条体を固定するためのバンド部材の係止用のバンドロック部を一体に設け、該バンドロック部の近傍且つ前記一側壁の自由端側外面には、前記プロテクタ本体の開放面を横切る開放面横断部材を係止するためのロック部を一体に設けたことを特徴としている。このような特徴を有する本発明によれば、開放面横断部材が一側壁に係止されることにより、一側壁のバンドロック部による撓みが防止される。
【０００８】
請求項２記載の本発明のプロテクタは、請求項１に記載のプロテクタにおいて、前記バンドロック部と前記ロック部とを、前記一側壁を挟んで対向するような位置に設けたことを特徴としている。このような特徴を有する本発明によれば、バンドロック部による撓みと開放面横断部材による押さえとが同じ位置で作用し合い、その結果、バンドロック部による一側壁の撓みが確実に防止される。また、捩れによる変形の発生も防止される。
【発明の効果】
【０００９】
請求項１に記載された本発明によれば、バンド部材のロック状態を良好にすることができるという効果を奏する。
【００１０】
請求項２に記載された本発明によれば、バンド部材のロック状態をより一層良好にすることができるという効果を奏する。また、捩れによる変形を防止することができるという効果も奏する。
【発明を実施するための最良の形態】
【００１１】
以下、図面を参照しながら説明する。
図１は本発明のプロテクタの一実施の形態を示す要部断面図である。また、図２は図１の矢線Ａ方向から見たプロテクタ本体の要部拡大図である。
【００１２】
図１において、引用符号２１は本発明のプロテクタを示している。そのプロテクタ２１は、例えば既知のワイヤハーネス２２のような線条体を配索する際に用いられるものであって、特に限定するものではないが、車両のボディパネル等に固定されるようになっている。プロテクタ２１は、合成樹脂製のプロテクタ本体２３及びプロテクタカバー２４と、合成樹脂製のバンド部材２５とを備えて構成されている。以下、各構成部材について説明する。
【００１３】
図１及び図２において、プロテクタ本体２３は、底壁２６とその底壁２６の両側縁から垂直に立設する側壁２７、２８とを備えて構成されている。また、プロテクタ本体２３は、その断面形状が上向きのコ字状となるように形成されている。このようなプロテクタ本体２３の底壁２６と側壁２７、２８とで囲まれる内側には、ワイヤハーネス２２を収納するための収納室２９が形成されている。収納室２９は、ワイヤハーネス２２の最大径を考慮してその大きさが設定されている。
【００１４】
底壁２６には、隔壁３０と開口部３１とが形成されている。隔壁３０は、底壁２６に対して垂直に立設する部分であって、ワイヤハーネス２２を収納する空間とバンド部材２５の自由端側を係止する空間とを区画するように配置形成されている。隔壁３０は、側壁２７、２８の高さよりも低く平坦な面を有して形成されている。また、隔壁３０は、バンド部材２５の自由端側に対してその引き回しに影響しない高さとなるように形成されている。開口部３１は、バンド部材２５の自由端側を引き出すための貫通孔であって、側壁２７と隔壁３０との間、且つ後述するバンドロック部３２の直下に形成されている。
【００１５】
側壁２７の自由端側には、バンドロック部３２とロック部３３とが形成されている。そのバンドロック部３２とロック部３３は、プロテクタ本体２３の長手方向に沿って一つ又は複数形成されている。
【００１６】
バンドロック部３２は、側壁２７の内面に形成されている。また、バンドロック部３２は、バンド部材２５の自由端側を係止するために、可撓性を有する略逆Ｌ字形状（言い換えれば、先端が開口部３１に向けて伸びるアーム形状）に形成されている。このようなバンドロック部３２の先端部分には、隔壁３０側に突出する係止突起３４が形成されている。
【００１７】
ロック部３３は、側壁２７の外面に形成されている。また、ロック部３３は、プロテクタカバー２４の後述する係止片３８を係止するために、差し込み孔３５を有するコ字形状に形成されている。
【００１８】
以上のようなバンドロック部３２とロック部３３は、側壁２７を挟んで対向するような位置に設けられている。尚、バンドロック部３２の使用時において、プロテクタカバー２４の後述する係止片３８により押さえられる側壁２７に撓みや捩れ等が発生しなければ、ロック部３３をバンドロック部３２に対して多少ずれた位置に配置してもよいものとする。
【００１９】
側壁２８の自由端には、ヒンジ３６が連成されている。そのヒンジ３６には、さらにプロテクタカバー２４が連成されている。プロテクタ本体２３の開放面は、プロテクタカバー２４により覆われるようになっている。
【００２０】
プロテクタカバー２４は、プロテクタ本体２３の上記開放面を横切る部材（開放面横断部材）であって、横断部３７と一つ又は複数の係止片３８とを備えて構成されている。また、プロテクタカバー２４は、図１に示されるように係止片３８の部分の断面形状が横向きのＬ字形状となるように形成されている。
【００２１】
横断部３７は、平板状に形成されている。また、横断部３７は、本形態において、プロテクタ本体２３の上記開放面の全面を覆うことができるような形状に形成されている（この限りではないものとする）。係止片３８は、プロテクタ本体２３のロック部３３に対して差し込み可能な形状となるように形成されている。このような係止片３８の先端には、ロック部３３の端面に引っ掛かる係止突起３９が形成されている。
【００２２】
バンド部材２５は、ワイヤハーネス２２を固定するための部材であって、プロテクタ本体２３の収納室２９内に設けられている。また、バンド部材２５は、プロテクタ本体２３の長手方向に沿って一つ又は複数設けられている。このようなバンド部材２５の一端は、適宜手段を用いて底壁２６に固定されている。また、バンド部材２５の自由端側は、収納室２９内において引き回し可能な形状に形成されている。バンド部材２５の自由端側には、既知の係止部４０がバンド部材２５の長手方向に沿って複数形成されている。その係止部４０には、バンドロック部３２の係止突起３４が引っ掛かるようになっている。
【００２３】
次に、上記構成に基づいてワイヤハーネス２２の固定作業について説明する。ワイヤハーネス２２は、プロテクタ本体２３の収納室２９に収納される。すなわち、隔壁３０と側壁２８との間に収納される。ワイヤハーネス２２が収納されると、バンド部材２５を引き回し、その自由端側を隔壁３０と側壁２７との間に差し込んで自由端側をバンドロック部３２に係止させる。開口部３１から引き出された部分を引っ張ることにより、ワイヤハーネス２２はガタ付きなく固定される。その後、プロテクタ本体２３の開放面をプロテクタカバー２４で覆い係止片３８をロック部３３に係止させれば一連の作業が完了する。
【００２４】
以上、図１及び図２を参照しながら説明してきたように、本発明のプロテクタ２１によれば、側壁２７にバンドロック部３２による撓みが仮に生じたとしても、プロテクタカバー２４による押さえが作用して、元の良好なロック状態に戻すことができるという利点を有している。
【００２５】
その他、本発明は本発明の主旨を変えない範囲で種々変更実施可能なことは勿論である。
【図面の簡単な説明】
【００２６】
【図１】本発明によるプロテクタの一実施の形態を示す要部断面図である。
【図２】図１の矢線Ａ方向から見たプロテクタ本体の要部拡大図である。
【図３】従来例のプロテクタの構成及び固定作業説明図である。
【符号の説明】
【００２７】
２１  プロテクタ
２２  ワイヤハーネス（線条体）
２３  プロテクタ本体
２４  プロテクタカバー（開放面横断部材）
２５  バンド部材
２６  底壁
２７  側壁（一側壁）
２８  側壁
２９  収納室
３０  隔壁
３１  開口部
３２  バンドロック部
３３  ロック部
３４  係止突起
３５  差し込み孔
３６  ヒンジ
３７  横断部
３８  係止片
３９  係止突起
４０  係止部
【図１】
2005080429.tif 000003
【図２】
2005080429.tif 000004
【図３】
2005080429.tif 000005